【手続補正書】
【提出日】平成25年8月27日(2013.8.27)
【手続補正１】
【補正対象書類名】明細書
【補正対象項目名】発明の名称
【補正方法】変更
【補正の内容】
【発明の名称】画像表示装置、画像表示方法及びプログラム
【手続補正２】
【補正対象書類名】明細書
【補正対象項目名】０００１
【補正方法】変更
【補正の内容】
【０００１】
本発明は、画像表示装置、画像表示方法及びプログラムに関する。
【手続補正３】
【補正対象書類名】明細書
【補正対象項目名】０００５
【補正方法】変更
【補正の内容】
【０００５】
本発明の課題は、面白みを持たせて画像を分類表示する処理や画像の比較に基づく所定の処理などを実行することのできる画像表示装置、画像表示方法及びプログラムを提供することである。
【手続補正４】
【補正対象書類名】明細書
【補正対象項目名】０００６
【補正方法】変更
【補正の内容】
【０００６】
上記課題を解決するため、請求項１に記載の発明の画像表示装置は、複数の画像を表示画面上に一覧表示する一覧表示制御手段と、複数のテーマの各々を表現した複数のテーマアイコンの１つを選択するテーマ選択手段と、前記テーマ選択手段により選択されたテーマアイコンを前記複数の画像が一覧表示された表示画面上に表示させた状態で移動させるアイコン移動表示制御手段と、前記アイコン移動表示制御手段により移動する前記テーマアイコンが前記複数の画像のいずれかと重なる毎に、重なった画像から検出されるテーマと当該テーマアイコンが表現するテーマとの比較に基づく所定の処理を実行する制御手段と、を備えることを特徴とする。
【手続補正５】
【補正対象書類名】明細書
【補正対象項目名】０００７
【補正方法】変更
【補正の内容】
【０００７】
請求項２に記載の発明は更に、前記制御手段が実行する前記所定の処理には、前記重なった画像から検出されるテーマと前記移動するテーマアイコンが表現するテーマとの比較結果を識別表示する処理が含まれることを特徴とする。
【手続補正６】
【補正対象書類名】明細書
【補正対象項目名】０００８
【補正方法】変更
【補正の内容】
【０００８】
請求項３に記載の発明は更に、前記制御手段が実行する前記識別表示の処理には、前記移動するテーマアイコンが表現するテーマと一致する画像と一致しない画像とを識別して表示する処理が含まれることを特徴とする。
請求項４に記載の発明は更に、前記制御手段が実行する前記所定の処理には、前記重なった画像から検出されるテーマと前記移動するテーマアイコンが表現するテーマとが一致する毎に、重なった画像を当該テーマアイコンが表現するテーマに分類していく分類処理が含まれることを特徴とする。
請求項５に記載の発明は更に、前記制御手段が実行する前記識別表示の処理には、前記重なった画像から検出されるテーマと前記移動するテーマアイコンが表現するテーマとが一致する毎に、重なった画像の縮小画像を当該テーマアイコン上に追加して表示させる処理が含まれ、前記縮小画像は、前記テーマアイコンとともに移動することを特徴とする。
請求項６に記載の発明は更に、前記制御手段が実行する前記分類処理には、前記テーマアイコンと、当該テーマアイコンが表現するテーマに分類された画像とを関連付ける処理が含まれ、前記テーマアイコンに対するユーザ操作に応じて、当該テーマアイコンが表現するテーマに分類された複数の画像を表示させることが可能であることを特徴とする。
請求項７に記載の発明は更に、複数の画像を記憶する画像記憶手段と、前記画像記憶手段に記憶された複数の画像の中から、前記制御手段が実行する前記分類処理の対象となる複数の画像を選択する対象画像選択手段と、を備えることを特徴とする。
請求項８に記載の発明は更に、前記アイコン移動表示制御手段は、前記テーマ選択手段により選択されたテーマアイコンを、一覧表示されている各画像上に所定の順序で移動させることを特徴とする。
請求項９に記載の発明は更に、前記アイコン移動表示制御手段により前記テーマアイコンが前記一覧表示されている全ての画像上を移動した場合に、前記複数の画像の一覧表示を終了させるとともに、当該テーマアイコンを、当該テーマアイコンが表現するテーマに分類された複数の画像へのリンクとして表示画面に表示させるリンクアイコン表示制御手段と、前記リンクアイコン表示制御手段により表示された前記テーマアイコンに対するユーザ操作に応じて、当該テーマアイコンを拡大表示させるとともに、このテーマアイコン上に、当該テーマアイコンが表現するテーマに分類された各画像のサムネイルを表示させる対応画像表示制御手段と、を備えることを特徴とする。
請求項１０に記載の発明は更に、前記複数の画像の各々には、予め複数のテーマが関連付けて記憶されており、前記制御手段は、前記重なった画像に関連付けて記憶されている複数のテーマのいずれかが前記移動するテーマアイコンが表現するテーマと一致するかの比較を行うことを特徴とする。
請求項１１に記載の発明は更に、前記テーマ選択手段は、前記一覧表示された画像に関連付けられているテーマに対応するテーマアイコンを、一覧表示されていない画像に関連付けられているテーマに対応するテーマアイコンよりも優先的に表示画面上に一覧表示させた状態で、この一覧表示された何れかのテーマを、ユーザ操作に基づいて選択することを特徴とする。
請求項１２に記載の発明は更に、前記テーマ選択手段は、前記一覧表示された画像に関連付けられている複数のテーマに対応する複数のテーマアイコンを、関連付けられている画像の数が多い順に表示画面上に一覧表示させた状態で、この一覧表示された何れかのテーマを、ユーザ操作に基づいて選択することを特徴とする。
【手続補正７】
【補正対象書類名】明細書
【補正対象項目名】０００９
【補正方法】変更
【補正の内容】
【０００９】
請求項１３に記載の発明は、画像表示方法において、複数の画像を表示画面上に一覧表示する一覧表示制御処理と、複数のテーマの各々を表現した複数のテーマアイコンの１つを選択するテーマ選択処理と、前記テーマ選択処理により選択されたテーマアイコンを前記複数の画像が一覧表示された表示画面上に表示させた状態で移動させるアイコン移動表示制御処理と、前記アイコン移動表示制御処理により移動する前記テーマアイコンが前記複数の画像のいずれかと重なる毎に、重なった画像から検出されるテーマと当該テーマアイコンが表現するテーマとの比較に基づく所定の処理を実行する制御処理と、を含むことを特徴とする。
請求項１４に記載の発明は、プログラムにおいて、コンピュータに、複数の画像を表示画面上に一覧表示する一覧表示制御機能と、複数のテーマの各々を表現した複数のテーマアイコンの１つを選択するテーマ選択機能と、前記テーマ選択機能により選択されたテーマアイコンを前記複数の画像が一覧表示された表示画面上に表示させた状態で移動させるアイコン移動表示制御機能と、前記アイコン移動表示制御機能により移動する前記テーマアイコンが前記複数の画像のいずれかと重なる毎に、重なった画像から検出されるテーマと当該テーマアイコンが表現するテーマとの比較に基づく所定の処理を実行する制御機能と、を実現させることを特徴とする。
【手続補正８】
【補正対象書類名】明細書
【補正対象項目名】００１０
【補正方法】変更
【補正の内容】
【００１０】
本発明によれば、画像一覧が表示され、何れかのテーマが選択されると、選択されたテーマに対応するテーマアイコンが表示されて画像一覧内で移動し、移動するテーマアイコンが複数の画像のいずれかと重なる毎に、重なった画像から検出されるテーマと当該テーマアイコンが表現するテーマとの比較に基づく所定の処理を実行する。従って、分類や比較の結果が静的に表示される従来の場合と比較して、面白みを持たせて画像の分類や比較を行うことができる。
【手続補正９】
【補正対象書類名】特許請求の範囲
【補正対象項目名】全文
【補正方法】変更
【補正の内容】
【特許請求の範囲】
【請求項１】
複数の画像を表示画面上に一覧表示する一覧表示制御手段と、
複数のテーマの各々を表現した複数のテーマアイコンの１つを選択するテーマ選択手段と、
前記テーマ選択手段により選択されたテーマアイコンを前記複数の画像が一覧表示された表示画面上に表示させた状態で移動させるアイコン移動表示制御手段と、
前記アイコン移動表示制御手段により移動する前記テーマアイコンが前記複数の画像のいずれかと重なる毎に、重なった画像から検出されるテーマと当該テーマアイコンが表現するテーマとの比較に基づく所定の処理を実行する制御手段と、
を備えることを特徴とする画像表示装置。
【請求項２】
請求項１記載の画像表示装置において、
前記制御手段が実行する前記所定の処理には、前記重なった画像から検出されるテーマと前記移動するテーマアイコンが表現するテーマとの比較結果を識別表示する処理が含まれることを特徴とする画像表示装置。
【請求項３】
請求項２記載の画像表示装置において、
前記制御手段が実行する前記識別表示の処理には、前記移動するテーマアイコンが表現するテーマと一致する画像と一致しない画像とを識別して表示する処理が含まれることを特徴とする画像表示装置。
【請求項４】
請求項１乃至３のいずれか一項に記載の画像表示装置において、
前記制御手段が実行する前記所定の処理には、前記重なった画像から検出されるテーマと前記移動するテーマアイコンが表現するテーマとが一致する毎に、重なった画像を当該テーマアイコンが表現するテーマに分類していく分類処理が含まれることを特徴とする画像表示装置。
【請求項５】
請求項４に記載の画像表示装置において、
前記制御手段が実行する前記識別表示の処理には、前記重なった画像から検出されるテーマと前記移動するテーマアイコンが表現するテーマとが一致する毎に、重なった画像の縮小画像を当該テーマアイコン上に追加して表示させる処理が含まれ、
前記縮小画像は、前記テーマアイコンとともに移動することを特徴とする画像表示装置。
【請求項６】
請求項４または５に記載の画像表示装置において、
前記制御手段が実行する前記分類処理には、前記テーマアイコンと、当該テーマアイコンが表現するテーマに分類された画像とを関連付ける処理が含まれ、
前記テーマアイコンに対するユーザ操作に応じて、当該テーマアイコンが表現するテーマに分類された複数の画像を表示させることが可能であることを特徴とする画像表示装置。
【請求項７】
請求項４乃至６のいずれか一項に記載の画像表示装置において、
複数の画像を記憶する画像記憶手段と、
前記画像記憶手段に記憶された複数の画像の中から、前記制御手段が実行する前記分類処理の対象となる複数の画像を選択する対象画像選択手段と、
を備えることを特徴とする画像表示装置。
【請求項８】
請求項１乃至７のいずれか一項に記載の画像表示装置において、
前記アイコン移動表示制御手段は、前記テーマ選択手段により選択されたテーマアイコンを、一覧表示されている各画像上に所定の順序で移動させることを特徴とする画像表示装置。
【請求項９】
請求項６記載の画像表示装置において、
前記アイコン移動表示制御手段により前記テーマアイコンが前記一覧表示されている全ての画像上を移動した場合に、前記複数の画像の一覧表示を終了させるとともに、当該テーマアイコンを、当該テーマアイコンが表現するテーマに分類された複数の画像へのリンクとして表示画面に表示させるリンクアイコン表示制御手段と、
前記リンクアイコン表示制御手段により表示された前記テーマアイコンに対するユーザ操作に応じて、当該テーマアイコンを拡大表示させるとともに、このテーマアイコン上に、当該テーマアイコンが表現するテーマに分類された各画像のサムネイルを表示させる対応画像表示制御手段と、
を備えることを特徴とする画像表示装置。
【請求項１０】
請求項１乃至９のいずれか一項に記載の画像表示装置において、
前記複数の画像の各々には、予め複数のテーマが関連付けて記憶されており、
前記制御手段は、前記重なった画像に関連付けて記憶されている複数のテーマのいずれかが前記移動するテーマアイコンが表現するテーマと一致するかの比較を行うことを特徴とする画像表示装置。
【請求項１１】
請求項１０に記載の画像表示装置において、
前記テーマ選択手段は、前記一覧表示された画像に関連付けられているテーマに対応するテーマアイコンを、一覧表示されていない画像に関連付けられているテーマに対応するテーマアイコンよりも優先的に表示画面上に一覧表示させた状態で、この一覧表示された何れかのテーマを、ユーザ操作に基づいて選択することを特徴とする画像表示装置。
【請求項１２】
請求項１１に記載の画像表示装置において、
前記テーマ選択手段は、前記一覧表示された画像に関連付けられている複数のテーマに対応する複数のテーマアイコンを、関連付けられている画像の数が多い順に表示画面上に一覧表示させた状態で、この一覧表示された何れかのテーマを、ユーザ操作に基づいて選択することを特徴とする画像表示装置。
【請求項１３】
複数の画像を表示画面上に一覧表示する一覧表示制御処理と、
複数のテーマの各々を表現した複数のテーマアイコンの１つを選択するテーマ選択処理と、
前記テーマ選択処理により選択されたテーマアイコンを前記複数の画像が一覧表示された表示画面上に表示させた状態で移動させるアイコン移動表示制御処理と、
前記アイコン移動表示制御処理により移動する前記テーマアイコンが前記複数の画像のいずれかと重なる毎に、重なった画像から検出されるテーマと当該テーマアイコンが表現するテーマとの比較に基づく所定の処理を実行する制御処理と、
を含むことを特徴とする画像表示方法。
【請求項１４】
コンピュータに、
複数の画像を表示画面上に一覧表示する一覧表示制御機能と、
複数のテーマの各々を表現した複数のテーマアイコンの１つを選択するテーマ選択機能と、
前記テーマ選択機能により選択されたテーマアイコンを前記複数の画像が一覧表示された表示画面上に表示させた状態で移動させるアイコン移動表示制御機能と、
前記アイコン移動表示制御機能により移動する前記テーマアイコンが前記複数の画像のいずれかと重なる毎に、重なった画像から検出されるテーマと当該テーマアイコンが表現するテーマとの比較に基づく所定の処理を実行する制御機能と、
を実現させることを特徴とするプログラム。